(57)【要約】【課題】効率良く医療廃棄物を回収するための医療廃棄物処理容器を提供する。【解決手段】医療廃棄物２を減容状態で回収する医療廃棄物処理容器１であって、医療廃棄物２を投入する投入口３０が形成された熱可塑性樹脂製の袋体３と、袋体３内に設けられるダンボール製の保型体４とからなり、保型体４は、袋体３の投入口３０よりも一回り大きい開口４０を有する開口保型部４１から、袋体３の深さ方向に延設部４２が形成されてなり、保型体４の開口４０から内側にはみ出した袋体３の投入口３０の部分が、減圧収縮後の袋体３を密閉する融着シロ３０ａとなされるとともに、保型体４の延設部４２が、減圧収縮時の気道を構成するようになされたもの。有底筒状の容器本体と、この容器本体内に設けられる袋体と、この袋体の内側から袋体内に回収される医療廃棄物２を押圧する押圧片とを具備した医療廃棄物処理容器。【選択図】　図１
2004016553.tif 000002
【特許請求の範囲】
【請求項１】
回収後に内部が減圧収縮されることによって、医療廃棄物を減容状態で回収するようになされた容器であって、
医療廃棄物を投入する投入口が形成された熱可塑性樹脂製の袋体と、
この袋体内に設けられるダンボール製の保型体とからなり、
保型体は、袋体の投入口よりも一回り大きい開口を有する開口保型部から、袋体の深さ方向に延設部が形成されてなり、
保型体の開口から内側にはみ出した袋体の投入口の部分が、減圧収縮後の袋体を密閉する融着シロとなされるとともに、保型体の延設部が、減圧収縮時の気道を構成するようになされたことを特徴とする医療廃棄物処理容器。
【請求項２】
回収後に内部が押圧収縮されることによって、医療廃棄物を減容状態で回収するようになされた容器であって、
有底筒状の容器本体と、この容器本体内に設けられる袋体と、この袋体の内側から袋体内に回収される医療廃棄物を押圧する押圧片とを具備し、
容器本体は、その外周面に、容器本体内に折り込むことができるようになされた折曲片が形成されてなり、
袋体内に回収した医療廃棄物の上から押圧片を介して医療廃棄物を押圧圧縮した状態で、折曲片を折り込むことによって押圧片を固定できるようになされたことを特徴とする医療廃棄物処理容器。
【請求項３】
折曲片が容器本体の深さ方向に渡って多段に設けられ、各段毎にそれぞれ押圧片を固定することができるようになされた請求項２記載の医療廃棄物処理容器。
【発明の詳細な説明】
【０００１】
【発明の属する技術分野】
本発明は、病院などで発生する医療廃棄物を回収する処理容器に関するものである。
【０００２】
【従来の技術】
一般に、病院などでは、傷口患部などに設けたガーゼの取り替えや消毒などを行ったりするたびに、ガーゼ、脱脂綿、包帯、絆創膏などの医療廃棄物が発生する。
【０００３】
従来より、このような医療廃棄物は、一般のゴミと一緒に捨てることができないので、一般のゴミとは別のゴミ袋をセットした専用のゴミ箱に回収していた。そして、この専用のゴミ箱に溜まった医療廃棄物は、ゴミ袋を介して医療廃棄物自体が見えたり、ゴミ袋が破れて医療廃棄物に直接触れたりしてしまうことにならないように、ゴミ袋ごとダンボール箱などの入れ物に入れ、このダンボール箱の単位で処理業者に回収してもらっていた。
【０００４】
【発明が解決しようとする課題】
しかし、ゴミ袋ごとダンボール箱などの入れ物に入れて医療廃棄物を回収する場合、実際の医療廃棄物の容量よりも嵩張ってしまうといった不都合を生じることとなる。
【０００５】
そのため、特開２００２−３０２４２５号公報に示すように、ゴミ袋などに医療廃棄物を回収した後、ゴミ袋内の空気を吸引してゴミ袋自体を減圧収縮させた後、ゴミ袋の開口部分を融着して密閉することが行われているが、この場合、ゴミ袋内の空気を吸引する際に、充分に空気を吸引できていないのにゴミ袋内の空気の気道が遮断されて吸引できなくなってしまうといったことが起こり、充分に減圧収縮させることができないといった不都合を生じていた。
【０００６】
本発明は、係る実情に鑑みてなされたものであって、効率良く医療廃棄物を回収するための医療廃棄物処理容器を提供することを目的としている。
【０００７】
【課題を解決するための手段】
上記課題を解決するための本発明の医療廃棄物処理容器は、回収後に内部が減圧収縮されることによって、医療廃棄物を減容状態で回収するようになされた容器であって、医療廃棄物を投入する投入口が形成された熱可塑性樹脂製の袋体と、この袋体内に設けられるダンボール製の保型体とからなり、保型体は、袋体の投入口よりも一回り大きい開口を有する開口保型部から、袋体の深さ方向に延設部が形成されてなり、保型体の開口から内側にはみ出した袋体の投入口の部分が、減圧収縮後の袋体を密閉する融着シロとなされるとともに、保型体の延設部が、減圧収縮時の気道を構成するようになされたものである。
【０００８】
袋体の投入口から医療廃棄物を投入して袋体内に医療廃棄物を回収した後、この投入口から袋体内の空気を吸引して袋体内を減圧縮小させる場合、この袋体内に保型体を設けており、この保型体は、袋体の深さ方向に延設部を形成しているので、この延設部が空気の気道の役割を果たすこととなる。また、袋体は、保型体によってしわの無い状態で保持されることとなり、吸引し易くなる。したがって、充分に吸引できていないのに気道が詰まって袋体内部の吸引が出来なくなるといったことを防止して袋体内を充分に減圧縮小させ、この袋体内に回収した医療廃棄物を効率よく減容することができる。また、減容後は、保型体の開口から内側にはみ出した袋体の投入口の部分の融着シロを融着することで、減圧収縮後の袋体を、簡単かつ確実に密閉することができる。
【０００９】
また、上記課題を解決するための本発明の医療廃棄物処理容器は、回収後に内部が押圧収縮されることによって、医療廃棄物を減容状態で回収するようになされた容器であって、有底筒状の容器本体と、この容器本体内に設けられる袋体と、この袋体の内側から袋体内に回収される医療廃棄物を押圧する押圧片とを具備し、容器本体は、その外周面に、容器本体内に折り込むことができるようになされた折曲片が形成されてなり、袋体内に回収した医療廃棄物の上から押圧片を介して医療廃棄物を押圧圧縮した状態で、折曲片を折り込むことによって押圧片を固定できるようになされたものである。また、この医療廃棄物処理容器において、折曲片が容器本体の深さ方向に渡って多段に設けられ、各段毎にそれぞれ押圧片を固定することができるようになされたものである。
【００１０】
袋体内に医療廃棄物を投入して回収した後、この医療廃棄物の上から押圧片を押圧して袋体内の医療廃棄物を減容させた状態にしてこの袋体が内装された容器本体の折曲片を容器本体の内側に折り込む。これにより、押圧片が折曲片に引っ掛かって反押圧方向に取り出せなくなって、容器本体の蓋を兼用することとなる。
【００１１】
また、容器本体内を複数の押圧片によって多段回に固定することで、容器本体内の医療廃棄物を複数の区画に減容して回収できる。
【００１２】
【発明の実施の形態】
以下、本発明の実施の形態を図面を参照して説明する。
−実施例１−
図１は本発明に係る医療廃棄物処理容器１の全体構成の概略を示し、図２および図３は同医療廃棄物処理容器１を構成する袋体３および保型体４を示し、図４は、その使用状態を示している。
【００１３】
すなわち、この医療廃棄物処理容器１は、医療廃棄物２を減容状態で回収するようになされた容器であって、袋体３と保型体４とから構成されている。
【００１４】
医療廃棄物２としては、ガーゼ、脱脂綿、包帯、絆創膏、ギプス、おむつ、産汚物、廃薬品類などが挙げられる。
【００１５】
袋体３は、図２に示すように、熱融着によって筒状となされた熱可塑性樹脂製の筒状体を、適宜の長さに切断し、その長手方向に沿った両側部を内側に折り込んでマチ部３１を形成した状態で、上下端部を熱融着することによって形成されている。この袋体３は、その一方の面の上部に、医療廃棄物２を袋体３内に投入するための投入口３０が設けられている。
【００１６】
保型体４は、図３に示すように、袋体３内に収納可能な大きさの矩形状となされたダンボールからなり、この袋体３内に収納した状態で、この袋体３の投入口３０に対応する位置に、この投入口３０よりもひとまわり大きい開口部４０が設けられている。この保型体４は、上記袋体３を形成する段階で、あらかじめ内装される。この保型体４を構成するダンボールは、ある程度の強度があり、少なくとも通気性を有していれば、特に限定されるものではなく、例えば、樹脂製のダンボールであってもよい。
【００１７】
この保型体４は、開口部４０が設けられた開口保型部４１と、それより下側の延設部４２との間が約９０度に折れ曲がるように折れ目４３が設けられており、図４（ｂ）に示すように、垂直状態の延設部４２に対して開口保型部４１を水平状態に折り曲げることができるようになされている。
【００１８】
また、この保型体４は、開口保型部４１に折れ目４４が設けられ、図４（ｄ）および（ｅ）に示すように、幅方向に沿った折れ目４４で二つ折りにできるようになされている。
【００１９】
さらに、この保型体４は、開口部４０を、袋体３の投入口３０よりも一回り大きく形成しているので、この開口部４０よりも内側にはみ出すこととなる袋体３の投入口３０の部分は、後にこの投入口３０を融着密閉する際の融着シロ３０ａとなされている。
【００２０】
このようにして構成される医療廃棄物処理容器１は、図４（ａ）に示す状態から、図４（ｂ）に示すように、開口保型部４１が水平状態となるように折り曲げた状態とする。
【００２１】
この状態で、図４（ｃ）に示すように、投入口３０から、袋体３内に医療廃棄物２を投入する。この際、医療廃棄物処理容器１は、保型体４によって袋体３の形状が略箱形に保型され、投入口３０が充分に開口されることとなるので、医療廃棄物２を袋体３内に容易に投入することができる。
【００２２】
袋体３内に医療廃棄物２を回収した後は、図４（ｄ）に示すように、袋体３を側方向から押圧片５で押圧して減容したり、袋体３の投入口３０から減圧して袋体３全体を減容したり、これら双方を併用して医療廃棄物２を減容する。この際、保型体４の開口保型部４１は、折れ目４４に沿って二つ折りにする。
【００２３】
減圧して袋体３内を減容する場合、この袋体３内には、ダンボール製の保型体４が内装されており、しかもこの保型体４は、袋体３の投入口３０近傍の開口保系部４１から、袋体３の深さ方向に沿って延設された延設部４２にいたって袋体３内の全体に設けられているため、この保型体４自体が、袋体３内の減圧時の気道となる。したがって、減圧時に、袋体３内全体が充分に減圧されていないのに投入口３０周縁だけが減圧されることによって密着した状態になってしまうといったようなことにならず、袋体３内全体を充分に減圧して減容することができる。また、医療廃棄物２自体が過剰な水分を含んでいるような場合であっても、この保系体４自体が吸水して経時的に拡散蒸発させることとなるので、袋体３の底部に液体が溜まり易くなるといったことも防止することができる。
【００２４】
最後に、図４（ｅ）および（ｆ）に示すように、この開口保型部４１を二つ折りにした状態で、開口部４０よりもさらに内側にはみ出した袋体３の投入口３０の融着シロ３０ａの部分を、融着し、減圧減容状態で密閉する。この際、保系体４の開口部４０よりも内側には、融着シロ３０ａしかはみ出していないので、融着ミスをすることなく、簡単に融着して密閉状態にすることができる。
【００２５】
これにより、医療廃棄物２を減容状態にして医療廃棄物処理容器１に回収することができる。
【００２６】
また、この医療廃棄物処理容器１は、医療廃棄物２を減容状態で回収するようになされているため、袋体３が、減容されずに通常圧で膨らんだ状態になっていると、袋体３に孔が開いてることを知らせることとなる。このように、袋体３に孔が開いていることが判ることで、例えば、医療廃棄物処理容器１内に感染性のある医療廃棄物２を回収しているような場合に、袋体３に孔が開いていて危険であることを知らせることができることとなる。
【００２７】
なお、特に容量にこだわらずに医療廃棄物２を回収するのであれば、袋体３を膨らませた状態で融着シロ３０ａを融着して、袋体３内に医療廃棄物２を密閉状態にしてもよい。この場合も同様に、袋体３が萎んだ状態であれば、密閉状態であった袋体３に孔が開いていることとなり、危険であることを知らせることができる。
【００２８】
上記した医療廃棄物処理容器１への医療廃棄物２の回収は、医療廃棄物処理容器１のセッティングから、減容、融着までの全てを、専用の装置（図示省略）によって行うようにしたものであってもよいし、図４（ｃ）に示す医療廃棄物２の回収までを適宜の治具（図示省略）にセッティングして行った後、図４（ｄ）無いし（ｆ）までの減容、融着を手作業で行うようにしてもよい。
【００２９】
なお、本実施の形態において、衣料廃棄物処理容器１は、袋体３の両側の内側に折り込まれたマチ部３１と干渉しないように、マチ部３１を介した片面側だけに保型体４が設けられているが、図５に示すように、保型体４の折れ目４４に、マチ部３１と干渉しないように切込み４５を設け、この切込み４５にマチ部３１を嵌め込むようにして袋体３内に保型体４を設けるようにしたものであってもよい。この場合、袋体３の投入口３０の位置は、保型体４の開口部４０に合わせて変更する。図１ないし図３に示す医療廃棄物処理容器１、および図５に示す医療廃棄物処理容器１の何れの場合においても、図６に示すように、マチ部３１によって袋体３内の保型体４が保持され、ずれが防止されて使い勝手が良くなる。
−実施例２−
図７および図８は、本発明に係る医療廃棄物処理容器１ａの全体構成の概略を示し、図９は同医療廃棄物処理容器１ａの使用状態を示している。
【００３０】
すなわち、この医療廃棄物処理容器１ａは、医療廃棄物２を減容状態で回収するようになされた容器であって、容器本体６と、袋体７と押圧片８とを具備している。
【００３１】
容器本体６は、上面が開口するダンボール箱からなり、上面のフラップ６１を立てた状態とされる。この容器本体６は、垂直方向に沿った四辺に、内側に約２０ｍｍ以上の折り込みが可能となれた切曲片６２が設けられている。この折曲片６２の数は特に限定されるものではなく、図７に示す本実施の形態では、高さ方向に沿って六カ所に設けられている。四辺に設けられた各折曲片６２は、高さが同じになるように、それぞれ設けられている。
【００３２】
袋体７は、上記容器本体６内に内装可能なビニール袋からなり、容器本体６内に設けた状態で、その開口部分を、容器本体６のフラップ６１の端部周縁に折り返した状態とされる。
【００３３】
押圧片８は、ダンボール板からなり、容器本体６内に袋体７を設けた状態で、袋体７内に設けることが可能となされた四角形状となされている。この押圧片８は、袋体７内に医療廃棄物２を投入した後、その上から医療廃棄物２を押圧する際に使用される。したがって、袋体７内に設けた状態で、袋体７を設けた容器本体６の断面形状よりも小さ過ぎると、袋体７内の医療廃棄物２を充分に押圧できなくなり、逆に容器本体６の断面形状と略同じ場合、容器本体６と押圧片８との間に介在する袋体７が引っ掛かり易くなって押圧片８による押圧がやり難くなってしまう。したがって、この押圧片８の大きさとしては、容器本体６の断面形状よりも一辺の長さが約１０ｍｍ〜２０ｍｍ短いものを使用することが好ましい。
【００３４】
このようにして構成される医療廃棄物処理容器１ａは、図９（ａ）に示す状態で、袋体７内に医療廃棄物２を投入する。ある程度、医療廃棄物２が溜まれば、袋体７内に押圧片８を入れ、図８に示すように、医療廃棄物２を押圧し、この押圧状態のまま、容器本体６の四隅にある折曲片６２を、内側に折り込んで押圧片８の四隅を、この折り込んだ折曲片６２に係止させる。これにより、今まで袋体７内に投入された医療廃棄物２は、減容状態となる。この際、折曲片６２は、押圧状態での押圧片８の直上の位置近くにある折曲片６２を折り込む。
【００３５】
その後、図９（ｂ）に示すように、この押圧片８の上から、さらに新しく発生した医療廃棄物２を投入して行く。
【００３６】
以下、図９（ｃ）および（ｄ）に示すように、同様にある程度医療廃棄物２が溜まれば押圧片８で押圧した後、容器本体６の折曲片６２を折り込んで減容して行き、最終的に容器本体６内にいっぱいまで溜める。
【００３７】
このようにして容器本体６に減容状態で医療廃棄物２が溜まれば、図９（ｅ）に示すように、容器本体６のフラップ６１に折り返していた袋体７の開口部分をフラップ６１から外して縛り、密閉する。
【００３８】
その後、図９（ｆ）に示すように、フラップ６１を閉じて容器本体６に減容状態で箱詰めした状態にすることができる。
【００３９】
このように、この医療廃棄物処理容器１ａの場合、箱詰めした状態にすることができるので、改めて箱詰めすることなく、そのまま業者に引き取ってもらうことができる。
【００４０】
なお、本実施の形態では、医療廃棄物２は、押圧片８よって三回減容するようになされているが、特にこの押圧片８の数としては、限定されるものではなく、最後に箱詰めする際に一回だけ押圧片８で押圧するだけであってもよいし、二回もしくは四回以上押圧片８によって減容するものであってもよい。ただし、容器本体６の四辺の高さ方向に沿って設けられた折曲片６２の数（六カ所）以上は、押圧片８を設けることができないことは言うまでもない。逆に、この折曲片６２の数は、最後に一回だけ押圧片８で押圧するだけであれば、特に各辺に付き六カ所も折曲片６２が設けられた容器本体６を使用する必要はなく、容器本体６の四辺の高さ方向に沿った上部にのみ、それぞれ一カ所の折曲片６２が設けられた容器本体６であってもよい。
【００４１】
また、医療廃棄物処理容器１ａは、押圧片８の押圧時に押圧片８に袋体７が引っ掛かりって容器本体６の内側に袋体７が入り込んでしまわないように、容器本体６の内側に、ゴムなどの弾性体による袋体７の滑り止めが設けられていてもよい。
【００４２】
上記した医療廃棄物処理容器１ａへの医療廃棄物２の回収は、医療廃棄物処理容器１ａのセッティングから、押圧片８による減容、折曲片６２の折り込みまでの全てを、専用の装置（図示省略）によって行うようにしたものであってもよいし、全てを手作業で行うようにしてもよい。
【００４３】
上記した二種類の医療廃棄物処理容器１、１ａは、病院などにおいて、各治療室毎に設けて使用してもよいし、各治療室で回収した医療廃棄物２を一カ所でまとめて回収する際に使用してもよい。また、トイレなどに配置し、トイレなどで廃棄される使用済みの女性用整理用品や紙おむつなどの回収に使用してもよい。したがって、医療廃棄物処理容器１の大きさとしても、特に限定されるものではなく、その用途と使用場所に応じて適宜に決められる。
【００４４】
【発明の効果】
以上述べたように、本発明によると、袋体内を充分に減圧縮小させ、この袋体内に回収した医療廃棄物を効率よく減容するとともに、減圧収縮後の袋体を、簡単かつ確実に密閉することができることとなり、効率よく医療廃棄物を回収することができる。
【００４５】
また、袋体内に回収した医療廃棄物を押圧片で押圧した状態のまま、この押圧片を蓋として容器本体内に収納することができるので、その状態のま回収業者に回収してもらうことが可能となり、効率よく医療廃棄物の回収ができることとなる。
【００４６】
さらに、容器本体内の医療廃棄物全部を、一度に一枚の押圧片で押圧するとなると、医療廃棄物を減容するために充分な押圧力で押圧片を押圧しなければならなくなり、その分、減容された医療廃棄物から受ける押圧片の反発力が大きくなるが、容器本体内を複数の押圧片によって多段回に固定することで、容器本体内の医療廃棄物を押圧片ごとに仕切られた複数の区画毎に、減容することができることとなる。したがって、この場合、一枚当たりの押圧片が受ける医療廃棄物からの反発力を小さくすることができ、効率よく確実に減容することができる。
【図面の簡単な説明】
【図１】（ａ）は本発明に係る医療廃棄物処理容器の全体構成の概略を示す正面図、（ｂ）は同図（ａ）におけるＩ−Ｉ　線断面図、（　ｃ）　は同図（　ａ）　におけるＩＩ−ＩＩ　線断面図である。
【図２】（ａ）は本発明に係る医療廃棄物処理容器の袋体を示す正面図、（ｂ）は同図（ａ）におけるＩＩＩ−ＩＩＩ　線断面図である。
【図３】本発明に係る医療廃棄物処理容器の保型体を示す正面図である。
【図４】（ａ）ないし（ｅ）は本発明に係る医療廃棄物処理容器による医療廃棄物の回収工程を説明する断面図、（ｆ）は同図（ｅ）の正面図である。
【図５】（ａ）は本発明に係る医療廃棄物処理容器の他の実施の形態を示す正面図、（ｂ）は同図（ａ）におけるＩＶ−ＩＶ　線断面図、（　ｃ）　は同図（　ａ）　におけるＶ−Ｖ　線断面図である。
【図６】（ａ）は図１ないし図３に示す医療廃棄物処理容器の全体構成の概略を示す斜視図、（ｂ）は図５に示す医療廃棄物処理容器の全体構成の概略を示す斜視図である。
【図７】本発明に係る他の医療廃棄物処理容器の全体構成の概略を示す分解斜視図である。
【図８】（ａ）は図７に示す医療廃棄物処理容器内の医療廃棄物を押圧片によって押圧する状態を示す部分拡大断面図、（ｂ）は同図（ａ）の平面図、（ｃ）は医療廃棄物を押圧片によって押圧した後、その押圧片を折曲片によって固定した状態を示す部分拡大断面図、（ｄ）は同図（ｃ）の平面図である。
【図９】（ａ）ないし（ｆ）は図７に示す医療廃棄物処理容器による医療廃棄物の回収工程を説明する断面図である。
【符号の説明】
１　医療廃棄物処理容器
１ａ　医療廃棄物処理容器
２　医療廃棄物
３　袋体
３０　投入口
３０ａ　融着シロ
４　保型体
４０　開口部
４１　開口保型部
４２　延設部
６　容器本体
６２　折曲片
７　袋体
８　押圧片
【図１】
2004016553.tif 000003
【図２】
2004016553.tif 000004
【図３】
2004016553.tif 000005
【図４】
2004016553.tif 000006
【図５】
2004016553.tif 000007
【図６】
2004016553.tif 000008
【図７】
2004016553.tif 000009
【図８】
2004016553.tif 000010
【図９】
2004016553.tif 000011